(57)【要約】少なくとも１つのゾーン（Ｚ１、Ｚ２）を有し且つパッド（１００）のそれぞれのチャネル（１０４、１０５）を規定するように意図された、吸収性衛生用品のための吸収性パッド（１００）を形成するための装置であって、形成ドラム（２）と、第１のウェブ（ＮＷ１）を供給するための第１の供給システム（４）と、第２のウェブ（ＮＷ２）を供給するための第２の供給システム（５）と、形成ドラム（２）上に吸収性材料（１０３）を広げるための少なくとも１つのスプレッダ（６）と、少なくとも、パッド（１００）のチャネル（１０４、１０５）を規定する吸収性材料（１０３）のないゾーン（Ｚ１、Ｚ２）において第１のウェブ（ＮＷ１）と第２のウェブ（ＮＷ２）を接合するための接合システム（１５）と、を備える。装置は、第１の接着物質（１０）の第１のディスペンサ（９）であって、吸収性材料（１０３）のないゾーン（Ｚ１、Ｚ２）に対応する第１の接着物質（１０）のないゾーン（Ｓ１、Ｓ２）を有する広がりパターン（Ｍ２）に従って第１の接着物質（１０）の層（１１０）を第１のウェブ（ＮＷ１）上に生成するように構成された第１のディスペンサ（９）と、第２の接着物質（１２）を第２のウェブ（ＮＷ２）上に供給するように構成された第２のディスペンサ（１１）とを備え、第２の接着物質（１２）の接着力は、第１の接着物質（１０）の接着力よりも大きく、第２のディスペンサ（１１）は、少なくとも、第１の接着物質（１０）のないそれぞれのゾーン（Ｓ１、Ｓ２）に配置されることを意図した、第２の接着物質（１２）の少なくとも１つの層（１１２）を有する広がりパターン（Ｍ３）に従って第２の接着物質（１２）を第２のウェブ（ＮＷ２）上に供給するように構成される。
2021511877.tif 000002
【特許請求の範囲】
【請求項１】
吸収性衛生用品のための吸収性パッド（１００）を形成するための装置であって、前記パッド（１００）は、第１の層（１０１）、第２の層（１０２）、および前記第１の層（１０１）と前記第２の層（１０２）との間に配置された吸収性材料（１０３）であって、吸収性材料（１０３）のない少なくとも１つのゾーン（Ｚ１、Ｚ２）を有し且つそれぞれのチャネル（１０４、１０５）を規定するように意図された吸収性材料の広がりパターン（Ｍ１）に従って配置された吸収性材料（１０３）を含み、前記装置（１００）は、
前記吸収性材料（１０３）を形成するための１つまたは複数の形成ポケット（３）を有する形成ドラム（２）と、
前記パッド（１００）の前記第１の層（１０１）を形成することを意図した第１のウェブ（ＮＷ１）を前記形成ドラム（２）に供給するための第１の供給システム（４）と、
前記パッド（１００）の前記第２の層（１０２）を形成することを意図した第２のウェブ（ＮＷ２）を前記形成ドラム（２）に供給するための第２の供給システム（５）と、
前記形成ドラム（２）上に前記吸収性材料（１０３）を広げるための少なくとも１つのスプレッダ（６）と、
前記形成ドラム（２）上に配置された前記第１のウェブ（ＮＷ１）上に、前記吸収性材料の広がりパターン（Ｍ１）に従って吸収性材料（１０３）の広がりを生成する吸引システム（７）と、を備え、
前記形成ドラム（２）は、前記吸引システム（７）に少なくとも１つのインサート（８）を備えて前記インサート（８）での吸引を抑制して、これによって、吸収性材料（１０３）が保持されずにそれぞれのチャネル（１０４、１０５）が規定され、前記ドラム（２）のそれぞれのポケット（３）内の１つまたは複数の前記インサート（８）の配置は、前記吸収性材料（１０３）の前述の広がりパターン（Ｍ１）を規定し、吸収性材料（１０３）のない各ゾーン（Ｚ１、Ｚ２）は、それぞれのインサート（８）の存在に対応し、
少なくとも前記第１のウェブ（ＮＷ１）、前記第２のウェブ（ＮＷ２）および前記吸収性材料（１０３）は、複合ウェブ（ＮＷ）を規定し、
前記装置は、前記第２の供給システム（５）の下流に位置する接合システム（１５）であって、少なくとも、前記パッド（１００）の前記チャネル（１０４、１０５）を規定する吸収性材料（１０３）のない前記ゾーン（Ｚ１、Ｚ２）において前記複合ウェブ（ＮＷ）を接合するための接合システム（１５）を備え、
前記装置は、
供給方向（Ｖ１）に関して、前記吸収性材料（１０３）を広げるための前記スプレッダ（６）の上流に配置された、前記第１のウェブ（ＮＷ１）上の第１の接着物質（１０）の第１のディスペンサ（９）であって、前記吸収性材料（１０３）のない前記ゾーン（Ｚ１、Ｚ２）に対応する前記第１の接着物質（１０）のないゾーン（Ｓ１、Ｓ２）を有する広がりパターン（Ｍ２）に従って前記第１の接着物質（１０）の層（１１０）を前記第１のウェブ（ＮＷ１）上に生成するように構成された第１のディスペンサ（９）と、
供給方向（Ｖ２）に関して、前記吸収性材料（１０３）を広げるための前記スプレッダ（６）の上流に配置された、前記第２のウェブ（ＮＷ２）上の第２の接着物質（１２）の第２のディスペンサ（１１）であって、少なくとも、前記広がりパターン（Ｍ２）の前記第１の接着物質（１０）のないそれぞれの前記ゾーン（Ｓ１、Ｓ２）に、前記第２の接着物質（１２）の１または複数の層（１１２）を有する広がりパターン（Ｍ３）に従って前記第２の接着物質（１２）を前記第２のウェブ（ＮＷ２）上に供給するように構成された第２のディスペンサ（１１）とを備え、
好ましくは、前記第２の接着物質（１２）の接着力は、前記第１の接着物質（１０）の接着力よりも大きい、装置。
【請求項２】
前記広がりパターン（Ｍ３）が、前記第２のウェブ（ＮＷ２）上に均一且つ途切れることなく広がる前記第２の接着物質（１２）の層（１１２）を有し、前記第２の接着物質（１２）の前記層（１１２）は、前記広がりパターン（Ｍ２）の前記第１の接着物質（１０）のない対応する前記ゾーン（Ｓ１、Ｓ２）にも広がっている、請求項１に記載の装置。
【請求項３】
前記広がりパターン（Ｍ３）が、前記広がりパターン（Ｍ２）の前記第１の接着物質（１０）のない前記それぞれのゾーン（Ｓ１、Ｓ２）のみに対応する前記第２の接着物質（１２）の１または複数の別個の層（１１２）を有する、請求項１に記載の装置。
【請求項４】
前記第２のウェブ（ＮＷ２）の前記供給方向（Ｖ２）に関して前記第２のディスペンサ（１６）の上流に、第３の接着物質（１４）の第３のディスペンサ（１３）であって、前記第２のウェブ（ＮＷ２）上に均一且つ途切れることなく広がる前記第３の接着物質（１４）の層（１１４）を有する広がりパターン（Ｍ４）に従う、第３の接着物質（１４）の第３のディスペンサ（１３）を備え、前記層（１１２）は、前記広がりパターン（Ｍ２）の前記第１の接着物質（１０）のない前記対応するゾーン（Ｓ１、Ｓ２）にも広がっており、
好ましくは、前記第３の接着物質（１２）の接着力は、前記第１の接着物質（１０）の接着力と等しい、請求項１または３に記載の装置。
【請求項５】
前記第２のウェブ（ＮＷ２）の前記供給方向（Ｖ２）に関して前記第２のディスペンサ（１６）の上流に、前記第１の接着物質（１２）の前記広がりパターン（Ｍ２）に対応する広がりパターン（Ｍ４）に従う、第３の接着物質（１４）の第３のディスペンサ（１３）を備え、前記第３の接着物質（１４）の前記広がりパターン（Ｍ４）は、前記吸収性材料（１０３）のない前記ゾーン（Ｚ１、Ｚ２）に対応する前記第３の接着物質（１４）のないゾーンを有し、前記第２の接着物質（１２）の前記層（１１２）は、前記広がりパターン（Ｍ２）の前記第１の接着物質（１０）のないそれぞれのゾーン（Ｓ１、Ｓ２）および前記第３の接着物質のないそれぞれのゾーンに対応し、
好ましくは、前記第３の接着物質（１２）の接着力は、前記第１の接着物質（１０）の接着力と等しい、請求項１または３に記載の装置。
【請求項６】
吸収性衛生用品のための吸収性パッド（１００）を形成する方法であって、前記パッド（１００）は、第１の層（１０１）、第２の層（１０２）、および前記第１の層（１０１）と前記第２の層（１０２）との間に配置される吸収性材料（１０３）であって、吸収性材料（１０３）のない少なくとも１つのゾーン（Ｚ１、Ｚ２）を有し且つ前記パッド（１０４、１０５）のそれぞれのチャネルを規定するように意図された吸収性材料の広がりパターン（Ｍ１）に従って配置された吸収性材料（１０３）を含み、前記方法は、請求項１から５のいずれか１項に記載の装置を使用して行われ、前記第１の層（１０１）を形成することを意図した第１のウェブ（ＮＷ１）を供給するステップと、
前記第２の層（１０２）を形成することを意図した第２のウェブ（ＮＷ２）を供給するステップと、
前記広がりパターン（Ｍ１）に従って前記第１のウェブ（ＮＷ１）上に前記吸収性材料（１０３）を広げるステップと、を含み、
少なくとも前記第１のウェブ（ＮＷ１）、前記第２のウェブ（ＮＷ２）および前記吸収性材料（１０３）は共に複合ウェブ（ＮＷ）を形成し、
前記方法は、前記パッド（１００）の前記チャネル（１０４、１０５）を規定するために、少なくとも、前記吸収性材料（１０３）のない前記ゾーン（Ｚ１、Ｚ２）で前記複合ウェブ（ＮＷ）を接合するステップを含み、
前記方法は、
前記吸収性材料（１０３）のない前記ゾーン（Ｚ１、Ｚ２）に対応する第１の接着物質（１０）のないゾーン（Ｓ１、Ｓ２）を有する広がりパターン（Ｍ２）に従って前記第１のウェブ（ＮＷ１）上に前記第１の接着物質（１０）の層（１１０）を広げるステップと、
第２の接着物質（１２）の１または複数の層（１１２）を有する広がりパターン（Ｍ３）に従って前記第２のウェブ（ＮＷ２）上に前記第２の接着物質（１２）の層（１１２）を広げるステップと、を含み、前記第２の接着物質（１２）の接着力は、好ましくは前記第１の接着物質（１０）の接着力よりも大きく、少なくとも、前記第１の接着物質（１０）のないそれぞれのゾーン（Ｓ１、Ｓ２）に配置されるよう意図されている、方法。
【請求項７】
前記広がりパターン（Ｍ３）が、前記第２のウェブ（ＮＷ２）上に均一且つ途切れることなく広がる前記第２の接着物質（１２）の層（１１２）を有し、前記層（１１２）はまた、前記広がりパターン（Ｍ２）の前記第１の接着物質（１０）のない対応する前記ゾーン（Ｓ１、Ｓ２）に広がっている、請求項６に記載の方法。
【請求項８】
前記広がりパターン（Ｍ３）は、前記広がりパターン（Ｍ２）の前記第１の接着物質（１０）のない前記それぞれのゾーン（Ｓ１、Ｓ２）のみに対応する前記第２の接着物質（１２）の１または複数の別個の層（１１２）を有する、請求項６に記載の方法。
【請求項９】
前記第２のウェブ（ＮＷ２）上に前記第２の接着物質（１２）の前記層（１１２）を広げる前記ステップの前に、前記第２のウェブ（ＮＷ２）上に均一且つ途切れなく広がる第３の接着物質（１４）の層（１１４）を有する広がりパターン（Ｍ４）に従って前記第２のウェブ（ＮＷ２）上に前記第３の接着物質（１４）の層（１１４）を広げるステップを含み、前記層（１１２）は、前記広がりパターン（Ｍ２）の前記第１の接着物質（１０）のない前記対応するゾーン（Ｓ１、Ｓ２）にも広がっており、好ましくは、前記第３の接着物質（１４）の接着力は、前記第１の接着物質（１０）の接着力と等しい、請求項６または８に記載の方法。
【請求項１０】
前記第２の接着物質（１２）の前記層（１１２）を前記第２のウェブ（ＮＷ２）上に広げる前記ステップの前に、前記第１の接着物質（１０）の前記広がりパターン（Ｍ２）に対応する広がりパターン（Ｍ４）に従って前記第２のウェブ（ＮＷ２）上に第３の接着物質（１４）の層（１１４）を広げるステップを含み、前記第３の接着物質（１４）の前記広がりパターン（Ｍ４）は、前記吸収性材料（１０３）のない前記ゾーン（Ｚ１、Ｚ２）に対応する前記第３の接着物質（１４）のないゾーンを有し、好ましくは、前記第３の接着物質（１４）の接着力は、前記第１の接着物質（１０）の接着力と等しい、請求項６または８に記載の方法。
【請求項１１】
請求項１から５のいずれか１項に記載の装置を用いて製造され且つ第１の層（１０１）、第２の層（１０２）、および前記層（１０１、１０２）の間に配置された吸収性材料（１０３）を含む吸収性パッドであって、
前記吸収性材料（１０３）は、吸収性材料（１０３）のない少なくとも１つのゾーン（Ｚ１、Ｚ２）を有するパターン（Ｍ１）に従って広がり、前記パッドは、
前記吸収性材料（１０３）のない前記ゾーン（Ｚ１、Ｚ２）に対応する第１の接着物質（１０）のないゾーン（Ｓ１、Ｓ２）を有する、前記吸収性材料（１０３）を広げるための前記パターン（Ｍ１）に対応するパターン（Ｍ２）に従って前記第１の層（１０１）上に広がる前記第１の接着物質（１０）の層（１１０）を備え、
前記パッド（１００）は、吸収性材料（１０３）のないそれぞれのゾーン（Ｚ１、Ｚ２）および前記第１の接着物質（１０）のないそれぞれのゾーン（Ｓ１、Ｓ２）に少なくとも１つのチャネル（１０４、１０５）を有し、
前記チャネル（１０４、１０５）において、前記第１および第２の層（１０１、１０２）は、少なくとも１つの第２の接着物質（１２）の層（１１２）によって互いに接合され、好ましくは、前記第２の接着物質（１２）の接着力は、前記第１の接着物質（１０）の接着力よりも大きい、パッド。
【請求項１２】
前記チャネル（１０４、１０５）において、前記第１および第２の層（１０１、１０２）が、前記第２の接着物質（１２）の前記層（１１２）によってのみ互いに接合される、請求項１１に記載のパッド。
【請求項１３】
前記チャネル（１０４、１０５）において、前記第１および第２の層（１０１、１０２）が、前記第２の接着物質（１２）の前記層（１１２）によって、および第３の接着物質（１４）の層（１１４）によって、互いに接合されている、請求項１１に記載のパッド。
【発明の詳細な説明】
【技術分野】
【０００１】
本発明は、例えば、子供および大人用のおむつなどの吸収性衛生用品に使用することを意図した、業界で「コア」としても知られている、吸収性パッドまたはパディングを形成するための装置および方法に関し、以下では、一般性等を失うことなく、おむつに対して明示的な言及がなされる。
【背景技術】
【０００２】
既知のように、おむつは吸収性パッドまたはパディングを備え、その吸収性コアは一般に、不織布の２つの層の間に挟まれた、セルロースパルプ（綿毛）の混合物内の超吸収性ポリマー材料（ＳＡＰ）のビーズでできている。
【０００３】
吸収された液体の分配、快適さおよび吸収作用の点で性能を改善するために、不織布の２つの層の間に吸収性材料のない長手方向チャネルを備えた吸収性パッドが開発されている。
【０００４】
これに関連して、例えば文献ＥＰ２９０５００１から出願人および競合他社に知られているのは、吸収性材料のない長手方向チャネルを備えた吸収性パディングを製造するための装置および方法のいくつかの解決法である。
【０００５】
これに関連して、この種の吸収性パッドを製造するための装置および方法のための新規且つ代替の解決策を開発および実施する必要がある。
【発明の概要】
【０００６】
本発明の一態様は、第１層、第２層、および第１層と第２層との間に配置された吸収性材料を含む、吸収性衛生用品用の吸収性パッドを形成するための装置を提供することである。
【０００７】
吸収性材料は、吸収性材料のない、すなわちそれを含まず且つパッド内のチャネルを画定することを意図した少なくとも１つのゾーンを有する広がりパターンに従って配置される。
【０００８】
装置は、形成ドラム、第１の層を形成することを意図した第１のウェブを形成ドラムに供給するための第１の供給システム、および第２の層を形成することを意図した第２のウェブを形成ドラムに供給するための第２の供給システムを含む。
【０００９】
装置は、形成ドラム上で前進する第１のウェブ上に、吸収性材料の広がりパターンに従って吸収性材料の広がりを生成する吸引システムを含む、形成ドラム上に吸収性材料を広げるための少なくとも１つのスプレッダを含む。
【００１０】
形成ドラムは、吸引システムに少なくとも１つのインサートを含む。インサートは、吸引が抑制されるゾーンを規定し、その結果、吸収性材料が保持されず、このようにして、チャネルがパッドに形成される。
【００１１】
１つまたは複数のインサートをドラムのそれぞれのシートに配置すると、吸収性材料を広げるためのパターンが規定され、吸収性材料のない各ゾーンは、インサートの存在に対応する。
【００１２】
少なくとも第１のウェブ、第２のウェブおよび吸収性材料は共に複合ウェブを形成する。
【００１３】
第２の供給システムの下流で、装置は、吸収性材料のない少なくとも１つ以上のゾーンで複合ウェブを接合するための接合システムを備える。
【００１４】
装置は、ウェブ自体の供給方向に関して吸収性材料のスプレッダの上流に配置された第１のウェブ上の第１の接着物質の第１のディスペンサを含む。
【００１５】
第１のディスペンサは、吸収性材料のないゾーンに対応する第１の接着物質のないゾーンを有する広がりパターンに従って第１の接着物質の層を第１のウェブ上に生成するように構成される。
【００１６】
装置は、ウェブ自体の供給方向に関して吸収性材料のスプレッダの上流に配置された、第２のウェブ上の第２の接着物質の第２のディスペンサを含む。
【００１７】
第２のディスペンサは、少なくとも、第１の接着物質のないそれぞれのゾーンで広げられるように意図された第２の接着物質の少なくとも１つの層を有する広がりパターンに従って第２の接着物質を第２のウェブ上に供給するように構成される。
【００１８】
好ましくは、第２の接着物質の接着力は、第１の接着物質の接着力よりも大きい。
【００１９】
有利には、第２の接着物質を第２のウェブに適用することは、吸収性材料のないゾーンで第１および第２のウェブを接合することを可能にし、吸収性材料のないチャネルをパディングに作ることは、ウェブ間の吸収性材料が膨潤した場合でもウェブを接合したままにすることを可能にする。
【００２０】
有利には、第１および第２のウェブを接合するための接着物質の使用は、製造コストを低く保ちながら、高い製造速度での動作を可能にする。
【図面の簡単な説明】
【００２１】
この解決策のさらなる特徴および利点は、添付の図面に示されるように、パッドを形成するための装置の好ましいが非排他的な実施形態を参照して、以下の非限定的な説明において、より明らかになる。
【図１】本発明による吸収性パッドを形成するための装置の概略正面図である。
【図１ａ】図１の詳細の拡大図を示す。
【図２】装置の第１のスプレッダによって第１のウェブ上に広げられた第１の接着物質の広がりパターンの概略上面図を示す。
【図３】装置の第２のスプレッダによって第２のウェブ上に広げられた第２の接着物質の広がりパターンの概略上面図を示す。
【図４】図３の実施形態に代わる変形実施形態における、第２の接着物質の広がりパターンと組み合わされた、装置の第３のスプレッダによって広げられた第３の接着物質の広がりパターンの概略上面図を示す。
【図５】図１の装置により製造された吸収性パッドを示す。
【図６】図３の第２の接着物質の広がりパターンを有する図５のパッドの概略横断面図を示す。
【図７−８】２つの変形実施形態における、第２の接着物質の広がりパターンと組み合わされた第３の接着物質の広がりパターンを有する図５のパッドの概略横断面図を示す。
【発明を実施するための形態】
【００２２】
図１を参照すると、数字１は、本発明による吸収性パッド１００を形成するための装置を示す。
【００２３】
装置１のこの説明は、本発明を理解するために必要な部分に限定される。
【００２４】
装置１は、パッド１００を形成するための、軸２ａの周りを回転可能なドラム２を備える。
【００２５】
その周囲に沿って、ドラム２は、吸収性材料１０３を受け入れるための複数のシート３を含む。
【００２６】
一実施形態では、これらのシート３は、ドラム２の実質的に円筒形の周辺部分に沿って延びる単一の連続した円形シート３の形態であってもよい。
【００２７】
あるいは、図示のタイプの別の実施形態では、これらのシート３は、ドラム２の実質的に円筒形の周辺部分に沿って整列し且つ等間隔に配置された別個のシートである。
【００２８】
各シート３の形状は、パッド１００の形状と一致している。
【００２９】
形成ドラム２には、吸収性材料１０３を広げるためのスプレッダ６が配置されて、ドラム２がその軸２ａの周りを回転する間にスプレッダ６の下を通過するシート３を充填できるように、スプレッダ６は形成ドラム２の周面の少なくとも一部に対面している。
【００３０】
装置１は、第１のウェブＮＷ１を形成ドラム２に供給するための、ブロック４として概略的に表される第１の供給システムを含む。
【００３１】
ウェブＮＷ１は、パッド１００の第１の層１０１を形成することを意図している。
【００３２】
ウェブＮＷ１は、ドラム２の回転方向と同じである供給方向Ｖ１に移動可能である。
【００３３】
装置１は、第２のウェブＮＷ２を形成ドラム２に供給するための、ブロック５として概略的に表される第２の供給システムを含む。
【００３４】
第２のウェブＮＷ２は、パッド１００の第２の層１０２を形成することを意図している。
【００３５】
第２のウェブＮＷ２は、ドラム２の回転方向と同じである供給方向Ｖ２に移動可能である。
【００３６】
形成ドラム２は、吸収性材料１０３をドラム２の受入シート３に引き込むための、ブロックとして概略的に表された吸引システム７を備える。
【００３７】
吸引システム７は、第１のウェブＮＷ１を、吸収性材料１０３を受け入れるためのシート３の位置に関して、ドラム２の周面に付着させる。
【００３８】
ドラム２の各シート３は、ドラム２の吸引が第１のウェブＮＷ１の上に定着する吸収性材料１０３を保持できるように透過性である。
【００３９】
吸引システム７の作用のおかげで、各シート３は、ドラム２が動く間、吸収性材料１０３を保持することができる。
【００４０】
特に図示の実施形態を参照すると、形成ドラム２の各シート３は少なくとも１つのインサート８またはブロック８を備え、吸収性材料１０３がその上に定着するのを防止することが観察され得る。
【００４１】
図示の実施形態では、形成ドラム２の各シート３は、少なくとも一対のインサート８またはブロック８を含む。
【００４２】
インサート８は、シート３に対して長手方向および横方向に延びる。
【００４３】
各インサート８は、パッド１００において、吸収性材料１０３のないそれぞれのチャネル１０４、１０５を規定するように構成される。
【００４４】
ドラム２のシート３における１つ以上のインサート８の配置は、それぞれのインサート８に吸収性材料１０３のない少なくとも１つのゾーンＺ１、Ｚ２を有する吸収性材料１０３の広がりパターンＭ１を規定する（図１の詳細を参照）。
【００４５】
形成装置１は、第１のウェブＮＷ１上の第１の接着物質１０の第１のディスペンサ９を含む。
【００４６】
供給方向Ｖ１に関して、第１のディスペンサ９は、吸収性材料１０３を広げるためのスプレッダ６の上流に配置される。
【００４７】
第１のディスペンサ９は、第１の接着物質１０の広がりパターンＭ２に従って第１の接着物質１０の層１１０を第１のウェブＮＷ１上に生成するように構成される。
【００４８】
第１の接着物質１０の広がりパターンＭ２は、吸収性材料１０３を広げるためのパターンＭ１に対応する。すなわち、第１の接着物質１０の層１１０は、ゾーンＳ１、Ｓ２を有するウェブＮＷ１上に均一且つ途切れなく広がり、ゾーンＳ１、Ｓ２は、第１の接着物質１０を含まず且つ吸収性材料１０３のないゾーンＺ１、Ｚ２に対応する。
【００４９】
第１の接着物質１０を広げるための広がりパターンＭ２の第１の接着物質１０のないゾーンＳ１、Ｓ２は、パッド１００上にチャネル１０４、１０５を規定することを意図している（図５を参照）。
【００５０】
第１のディスペンサ９によって供給される第１の接着物質１０は、少なくとも吸収性材料１０３がウェブＮＷ１上に保持されることを確実にするような接着力の物質である。
【００５１】
特に、第１のディスペンサ９によって供給される第１の接着物質１０は、「コア完全接着剤」という用語で知られている場合もある。
【００５２】
装置１は、第２のウェブＮＷ２上の第２の接着物質１２の第２のディスペンサ１１を含む。
【００５３】
供給方向Ｖ２に関して、第２のディスペンサ１１は、ドラム２の上流に配置される。
【００５４】
第２のディスペンサ１１は、第２の接着物質１２の広がりパターンＭ３に従って第２のウェブＮＷ２上に第２の接着物質１２を供給するように構成される。
【００５５】
一般的に言えば、第２の接着物質１２の広がりパターンＭ３は、少なくとも広がりパターンＭ２の接着物質１０がないそれぞれのゾーンＳ１、Ｓ２に配置されることが意図された第２の接着物質１２の少なくとも１つの層１１２を含む（図３および４を参照）。
【００５６】
図３に示される第１の変形実施形態では、第２の接着物質１２の広がりパターンＭ３は、第２のウェブＮＷ２上に均一且つ途切れることなく広がる層１１２である。
【００５７】
「均一に」とは、第２の接着物質１２の層１１２が第２のウェブＮＷ２の全幅および全長にわたって適用されることを意味する。
【００５８】
「途切れることなく」とは、第２の接着物質１２のないゾーンを生成することなく、第２の接着物質１２の層１１２がウェブＮＷ２上に適用されることを意味する。
【００５９】
図３の変形例では、第２の接着物質１２は、広がりパターンＭ２の第１の接着物質１０がない、対応するゾーンＳ１、Ｓ２にも広げられることに留意されたい。
【００６０】
図４の変形実施形態では、第２の接着物質１２の広がりパターンＭ３は、各々が広がりパターンＭ２の第１の接着物質１０のないそれぞれのゾーンＳ１、Ｓ２にのみ対応する、別々の層１１２を有する。
【００６１】
この変形例では、第２のディスペンサ１１は、好ましくは噴霧器である。
【００６２】
１つ以上の別々の層１１２を有する図４の広がりパターンＭ３の変形を考慮すると、装置１は、第２のウェブＮＷ２の供給方向Ｖ２において第２のディスペンサ１６の上流に位置する、第３の接着物質１４の第３のディスペンサ１３を含む。
【００６３】
第３の接着物質１４の第３のディスペンサ１３は、変形実施形態のオプションである。
【００６４】
第３のディスペンサ１３は、第２のウェブＮＷ２上に、第３の接着物質１４の広がりパターンＭ４に従って第３の接着物質１４の層１１４を生成するように構成される。
【００６５】
変形実施形態では、第３の接着物質１４の広がりパターンＭ４において、第２の接着物質１４の層１１４は、第２のウェブＮＷ２上に均一且つ途切れることなく広げられる。
【００６６】
「均一に」とは、第３の接着物質１４の層１１４が第２のウェブＮＷ２の全幅および全長にわたって適用されることを意味する。
【００６７】
「途切れることなく」とは、第３の接着物質１４のないゾーンを生成することなく、第３の接着物質１４の層１１４がウェブＮＷ２上に適用されることを意味する。
【００６８】
変形実施形態では、第３の接着物質１４の広がりパターンＭ４は、第２の接着物質１２の広がりパターンＭ２に対応する。
【００６９】
言い換えると、第３の接着物質１４の広がりパターンＭ４は、吸収性材料１０３の広がりパターンＭ１に対応する。すなわち、第３の接着物質１４の層１１４は、吸収性材料１０３がないゾーンＺ１、Ｚ２に対応する、第３の接着物質１４のないゾーンを有する。
【００７０】
図４は、第３の接着物質１４のパターンＭ４が広がり且つ第２の接着物質１２のパターンＭ３と組み合わされた第２のウェブＮＷ２を示す。
【００７１】
第２の接着物質１２のパターンＭ３は、第３の接着物質１４のパターンＭ４の後に適用される。
【００７２】
図４の変形実施形態では、第２の接着物質１２の広がりパターンＭ３は、各々が広がりパターンＭ２の第１の接着物質１０のないそれぞれのゾーンＳ１、Ｓ２に対応する、図４の第２の接着物質１２の別々の層１１２に加えて、第１および第２のウェブＮＷ１、ＮＷ２を接合する周縁を画定することを意図した長手方向層および横方向層を有してもよい。
【００７３】
接着物質の接着力に関して、パッド１００が、図２および３の広がりパターンに従って適用される第１の接着物質１０および第２の接着物質１２のみを含む場合、第２の接着物質１２は、不織布の第１および第２のウェブＮＷ１およびＮＷ２が互いに接合されることを確実にするような接着力の物質である。
【００７４】
好ましい変形実施形態では、第２の接着物質１２の接着力は、第１の接着物質１０の接着力よりも大きい。
【００７５】
パッド１００が、図２および４の広がりパターンに従って適用された第１の接着物質１０、第２の接着物質１２および第３の接着物質１４を含む場合、第２の接着物質１２は、不織布の第１および第２のウェブＮＷ１、ＮＷ２が互いに接合されることを確実にするような接着力の物質である。
【００７６】
好ましい変形実施形態では、第２の接着物質１２の接着力は、第１の接着物質１０および第３の接着物質１４の接着力よりも大きい。
【００７７】
好ましくは、第３の接着物質１４と第１の接着物質１０は同じ接着力を有する。
【００７８】
第１のウェブＮＷ１、第２のウェブＮＷ２、吸収性材料１０３、および第１のウェブＮＷ１と第２のウェブＮＷ２との間に配置された接着物質１０、１２、１４は、共に複合ウェブＮＷを形成する。
【００７９】
第２の供給システム５の下流で、装置１は、吸収性材料１０３のないゾーンＺ１、Ｚ２に位置する少なくとも第２の接着物質１２で複合ウェブを接合して、パッド１００のチャネル１０４、１０５を画定する接合システム１５を備える。
【００８０】
図示の実施形態では、接合システム１５は、複合ウェブＮＷがその間を通過する第１および第２の加圧ローラ１６、１７を備える。
【００８１】
第２の接着物質１２の広がりパターンＭ３が、第１および第２のウェブＮＷ１、ＮＷ２を接合する周縁を画定することを意図した長手方向層および横方向層を有する場合、接合システム１５は、パッド１００の第１および第２の長手方向縁部１０６、１０７並びに第１および第２の横方向縁部１０８、１０９を規定するように、長手方向層および横方向層において第１および第２のウェブＮＷ１、ＮＷ２を接合するように構成される。
【００８２】
あるいは、装置１は、パッド１００の第１および第２の長手方向縁部１０６、１０７並びに第１および第２の横方向縁部１０８、１０９を画定するように第１および第２のウェブＮＷ１、ＮＷ２を接合するように構成される、図示しない溶接システムを備える。
【００８３】
ブロック２０として概略的に表されている切断装置は、複合ウェブＮＷを個々のパッド１００に分割する。
【００８４】
図５は、装置１によって製造され且つ第１の層１０１、第２の層１０２および吸収性材料１０３を含む、例えば子供または大人のためのおむつ等の吸収性衛生用品を製造するために使用されるパッド１００を示す。
【００８５】
パッド１００は、複合ウェブＮＷを個別のピースに切断することによって得られる。
【００８６】
第１の層１０１は、第１のウェブＮＷ１の別個のピースである。
【００８７】
第２の層１０２は、第２のウェブＮＷ２の別個のピースである。
【００８８】
第１および第２の層１０１、１０２は、例えば、不織布でできている。
【００８９】
吸収性材料１０３は、例えば、セルロース繊維およびＳＡＰとも呼ばれる超吸収性材料を含み、第１の層１０１と第２の層１０２との間に挟まれる。
【００９０】
吸収性材料１０３は、広がりパターンＭ１に従ってパッドの内側に配置される。
【００９１】
図示の例では、パターンＭ１、したがってパッド１００は、吸収性材料１０３のない２つのゾーンＺ１およびＺ２を有する。
【００９２】
第１の接着物質１０および第２の接着物質１２のみを含むパッド１００の変形実施形態を示す図６の断面から推測できるように、第１および第２の層１０１、１０２は、チャネル１０４、１０５において第２の接着物質１２によって互いに直接接合される。
【００９３】
言い換えれば、チャネル１０４、１０５において、パッド１００は、下から順に、第１の層１０１、第２の接着物質１２の層１１２、および第２の層１０２を含む。
【００９４】
パッド１００のチャネル１０４、１０５の外側の部分では、パッド１００は、上から順に、第１の層１０１、第１の接着物質１０の層１１０、吸収性材料１０３、第２の接着物質１２の層１１２の層および第２の層１０２を含む。
【００９５】
パッド１００がパターンＭ４に従って第２の層１０２上に均一且つ途切れることなく広げられた第３の接着物質１４の層１１４を含む変形例に関して、チャネル１０４、１０５において、パッド１００が、下から順に、第１の層１０１、第２の接着物質１２の層１１２、第３の接着物質１４の層１１４、および第２の層１０２を含むことに留意されたい（図７を参照）。
【００９６】
パッド１００のチャネル１０４、１０５の外側の部分において、パッド１００は、下から順に、第１の層１０１、第１の接着物質１０の層１１０、吸収性材料１０３、第３の接着物質１４の層１１４、および第２の層１０２を含む（図７を参照）。
【００９７】
吸収性材料１０３のないゾーンＺ１、Ｚ２に対応する第３の接着物質のないゾーンを含む第３の接着物質１４のパターンＭ４の変形例に関して、図８から、チャネル１０４、１０５において、パッド１００は、下から順に、第１の層１０１、第２の接着物質１２の層１１２、および第２の層１０２を含むことが推測され得る。
【００９８】
パッド１００のチャネル１０４、１０５の外側の部分において、パッド１００は、下から順に、第１の層１０１、第１の接着物質１０の層１１０、吸収性材料１０３、第３の接着物質１４の層１１４、および第２の層１０２を含む（図８を参照）。
【００９９】
図６の変形例と同様に、図８の変形実施形態でも、第１および第２の層１０１、１０２は、第２の接着物質１２によって互いに直接接合される。
【０１００】
一般的に言えば、図示の変形例から推測できるように、パッド１００は、第１および第２の層１０１および１０２が少なくとも第２の接着物質１２によって互いに直接接合される２つのチャネル１０４、１０５を有する。
【０１０１】
例として示されている好ましい実施形態では、パッド１００は、第１および第２の長手方向縁部１０６、１０７を有し、第１および第２の長手方向縁部１０６、１０７に沿って第１および第２の層１０１、１０２が互いに直接接合されている。
【０１０２】
例として示された好ましい実施形態では、パッド１００は、第１および第２の横方向縁部１０８、１０９を有し、第１および第２の横方向縁部１０８、１０９に沿って第１および第２の層１０１、１０２が互いに直接接合されている。
【０１０３】
また、本発明の対象は、吸収性パッド１００を形成するための方法であり、当該方法は、パッド１００の第１の層１０１を形成することを意図した第１のウェブＮＷ１を供給するステップを含む。
【０１０４】
この方法は、パッド１００の第２の層１０２を形成することを意図した第２のウェブＮＷ２を供給するステップを含む。
【０１０５】
この方法は、広がりパターンＭ１に従って第１のウェブＮＷ１上に吸収性材料１０３を広げるステップを含む。
【０１０６】
この方法は、第１および第２のウェブＮＷ１、ＮＷ２を、吸収性材料１０３のないゾーンＺ１、Ｚ２で接合して、パッド１００のチャネル１０４、１０５を画定するステップを含む。
【０１０７】
この方法は、吸収性材料１０３のないゾーンＺ１、Ｚ２に対応する第１の接着物質１０のないゾーンＳ１、Ｓ２を有する広がりパターンＭ２に従って第１のウェブＮＷ１上に第１の接着物質１０の層１１０を広げるステップを含む。
【０１０８】
この方法は、少なくとも、第１の接着物質１０がないゾーンＳ１、Ｓ２に配置されることが意図される第２の接着物質１２の少なくとも１つの層１１２を有する広がりパターンＭ３に従って、第２のウェブＮＷ２上に第２の接着物質１２の層１１２を広げるステップを含む。
【０１０９】
広がりパターンＭ３内に、第２のウェブＮＷ２上に均一且つ途切れなく広げられた第２の接着物質１２の１つの層１１２があり、または広がりパターンＭ２の第１の接着物質１０のないそれぞれのゾーンＳ１、Ｓ２に対応する第２の接着物質１２の１つまたは複数の別個の層１１２がある。
【０１１０】
図７の変形例において、方法は、第２のウェブＮＷ２上に均一且つ途切れなく広げられた第３の接着物質１４の層１１４を有する広がりパターンＭ４に従って第２のウェブＮＷ２上に第３の接着物質１４の層１１４を広げるステップを含む。
【０１１１】
あるいは、この方法は、図８に示すように、第１の接着物質１０の広がりパターンＭ２に対応する広がりパターンＭ４に従って第２のウェブＮＷ２上に第３の接着物質１４の層１１４を広げるステップを含む。
【０１１２】
パターンＭ４に従って第２のウェブＮＷ２上に第３の接着物質１４の層１１４を広げるステップは、広がりパターンＭ３に従って第２のウェブＮＷ２上に第２の接着物質１２の層１１２を広げるステップの前に実行される。
【０１１３】
この方法は、パッド１００のチャネル１０４、１０５を画定するために、少なくとも、吸収性材料１０３のないゾーンＺ１、Ｚ２に配置された第２の接着物質１２の層１１２で、第１のウェブＮＷ１を第２のウェブＮＷ２に接合するステップを含む。
【０１１４】
広がりパターンＭ２の第１の接着物質１０のないゾーンＳ１、Ｓ２に対応する第２の接着物質１２の層１１２に加えて、第１および第２のウェブＮＷ１、ＮＷ２を接合する周縁１０６、１０７、１０８、１０９を画定することを意図した第２の接着物質１２の長手方向層および横方向層を有する広がりパターンＭ３に従って第２のウェブＮＷ２上に第２の接着物質１２の層１１２を広げるステップ。
【０１１５】
一般的に言えば、パターンＭ４に従って第３の接着物質１４の層１１４を第２のウェブＮＷ２上に広げるステップは、広がりパターンＭ３に従って第２のウェブＮＷ２上に第２の接着物質１２の層１１２を広げるステップの前に実行される。
【０１１６】
パッド１００の第１および第２の長手方向縁部１０６、１０７および第１および第２の横方向縁部１０８、１０９を画定するために、前述の層で第１および第２のウェブＮＷ１、ＮＷ２を接合するステップ。
【先行技術文献】
【特許文献】
【０１１７】
【特許文献１】ＥＰ２９０５００１
【図１】
2021511877.tif 000003
【図１Ａ】
2021511877.tif 000004
【図２】
2021511877.tif 000005
【図３】
2021511877.tif 000006
【図４】
2021511877.tif 000007
【図５】
2021511877.tif 000008
【図６】
2021511877.tif 000009
【図７】
2021511877.tif 000010
【図８】
2021511877.tif 000011
【国際調査報告】
2021511877.tif 000012
2021511877.tif 000013